(57)【要約】      （修正有）【課題】炉壁に多数の水管を有する焼却炉等において、水管を保護するタイル群を支持するフック群の取り付け位置の位置決め装置を提供する。【解決手段】タイル４群は、水管壁構造体１を保護するように配置される。前記水管壁構造体は、それぞれが第１方向に沿って伸び、前記第１方向に直交する第２方向に沿って並ぶ複数の水管２と、隣接する前記水管の間に設けられ、前記隣接する水管同士を連結するフィン部材３とを備える。フック５群は、前記フィン部材に取り付けられる。位置決め装置は、第１のフックを保持する、第１フック保持部と、前記第１のフックの隣に配置される第２のフックを保持する、第２フック保持部と、前記第１フック保持部と前記第２フック保持部とを連結する、連結部と具備する。【選択図】図２
0003176108.tif 000002
【実用新案登録請求の範囲】
【請求項１】
タイル群を支持するフック群の取り付け位置を決める位置決め装置であって、
前記タイル群は、水管壁構造体を保護するように配置され、
前記水管壁構造体は、
それぞれが第１方向に沿って伸び、前記第１方向に直交する第２方向に沿って並ぶ複数の水管と、
隣接する前記水管の間に設けられ、前記隣接する水管同士を連結するフィン部材とを備え、
前記フック群は、前記フィン部材に取り付けられ、
前記位置決め装置は、
第１のフックを保持する、第１フック保持部と、
前記第１のフックの隣に配置される第２のフックを保持する、第２フック保持部と、
前記第１フック保持部と前記第２フック保持部とを連結する、連結部と、
具備する
位置決め装置。
【請求項２】
請求項１に記載された位置決め装置であって、
更に、
磁性部材、
を具備し、
前記フィン部材は、磁性体により構成されており、
前記磁性部材は、前記第１フック保持部及び第２フック保持部が前記磁性部材を介して前記フィン部材に支持されるように、配置されている
位置決め装置。
【請求項３】
請求項１または２に記載された位置決め装置であって、
更に、
前記フィン部材と、前記第１フック保持部及び前記第２フック保持部との間の距離を調整する、距離調整機構、
を具備する
位置決め装置。
【請求項４】
請求項１乃至３のいずれかに記載された位置決め装置であって、
前記第１フック保持部及び前記第２フック保持部は、それぞれ、前記フックが挿入される溝部を有する
位置決め装置。
【請求項５】
請求項１乃至４のいずれかに記載された位置決め装置であって、
前記第１フック保持部及び前記第２フック保持部は、前記第１方向において隣り合う２つのフックに対応するように、配置されている
位置決め装置。
【請求項６】
請求項１乃至４のいずれかに記載された位置決め装置であって、
前記第１フック保持部及び前記第２フック保持部は、前記第２方向に沿って隣り合う２つのフックに対応するように、配置されている
位置決め装置。
【請求項７】
請求項１乃至６のいずれかに記載された位置決め装置であって、
更に、
前記第２のフックの隣に配置される第３のフックを保持する、第３フック保持部
を具備し、
前記連結部は、前記第３フック保持部を前記第１フック保持部及び前記第２フック保持部に連結するように、構成されている
位置決め装置。
【考案の詳細な説明】
【技術分野】
【０００１】
本考案は、位置決め装置に関する。
【背景技術】
【０００２】
焼却炉の炉壁などには、炉内で発生した熱の利用等を目的として、多数の水管が配置されることがある。炉内では、焼却により、高温高腐食性のガスが発生する。そのようなガスに水管が直接に晒されると、水管が腐食及び減肉することがある。そこで、水管を保護するために、タイルが用いられる。
【０００３】
タイルは、通常、モルタルなどの接着部材を介して水管に接着される。しかし、タイルの重量によっては、接着部材だけではタイルを支持できないことがある。そこで、フックを設け、フックによってタイルを機械的に支持する手法が採用されることがある。複数の水管は、通常、隣接する水管同士を連結するフィン部材によって補強される。フックは、例えばフィン部材に取り付けられる。
【０００４】
フックをフィン部材に取り付ける際には、墨糸が用いられる。すなわち、墨出しにより、フックの取り付け位置が求められ、求められた位置がマーキングされる。次いで、マーキングされた位置にフックが配置され、フックがフィン部材に溶接される。これにより、フックがフィン部材に結合させられる。
【０００５】
上記に関連して、特許文献１（実用新案登録第３１６４２７８号公報）には、位置決め装置が開示されている。この位置決め装置は、隣接する２本の水管とフィン部材とによって形成される凹凸面に適合する形状を有する、板部材を有する。板部材は、フィン部材に適合する中央部と、中央部に連結され、隣接する２本の水管に適合する形状を有する一対の側部とを備える。中央部にはフックの取り付け位置を示す開口が設けられている。板部材の縦横方向のサイズは、タイルのサイズに一致している。特許文献１に記載の位置決め装置によれば、どの部分でタイルが欠落した場合であっても、フックの取り付け位置を決めることが可能となる。
【先行技術文献】
【特許文献】
【０００６】
【特許文献１】実用新案登録第３１６４２７８号公報
【考案の概要】
【考案が解決しようとする課題】
【０００７】
墨出しによりマーキングを行なう場合、墨糸の位置を１本ずつ決めなければならず、作業者にとっての負担が大きくなる。また、墨糸を張る作業が必要である。更に、墨糸が張力でずれる、墨糸が障害物に引っかかる、等の不具合が発生する場合がある。また、溶接時には、フックを支える作業者に加えて、溶接を行う作業者が必要となる。加えて、作業者がフックを抑える必要があるため、フックの取り付け角度にばらつきが生じる場合がある。
【０００８】
そこで、本考案の課題は、容易に且つ正確に位置決めを行うことができる、位置決め装置を提供することにある。
【０００９】
尚、特許文献１には、どの部分でタイルが欠落した場合であっても、フックの取り付け位置を決めることが可能となる点については開示されているが、容易に且つ正確に位置決めを行うことができる、位置決め装置を提供する点については、開示されていない。
【課題を解決するための手段】
【００１０】
本考案に係る位置決め装置は、タイル群を支持するフック群の取り付け位置を決める位置決め装置である。前記タイル群は、水管壁構造体を保護するように配置される。前記水管壁構造体は、それぞれが第１方向に沿って伸び、前記第１方向に直交する第２方向に沿って並ぶ複数の水管と、隣接する前記水管の間に設けられ、前記隣接する水管同士を連結するフィン部材とを備える。前記フック群は、前記フィン部材に取り付けられる。前記位置決め装置は、第１のフックを保持する、第１フック保持部と、前記第１のフックの隣に配置される第２のフックを保持する、第２フック保持部と、前記第１フック保持部と前記第２フック保持部とを連結する、連結部と具備する。
【考案の効果】
【００１１】
本考案によれば、容易に且つ正確に位置決めを行うことができる、位置決め装置が提供される。
【図面の簡単な説明】
【００１２】
【図１】図１は、炉壁を概略的に示す正面図である。
【図２】図１のＡＡ’に沿う断面を示す図である。
【図３】図１のＢＢ’に沿う断面を示す図である。
【図４】各フックを示す概略図である。
【図５】位置決め装置を示す斜視図である。
【図６】各フック保持部を示す斜視図である。
【図７】第１の変形例に係る位置決め装置を概略的に示す正面図である。
【図８】第２の変形例に係る位置決め装置９を概略的に示す正面図である。
【考案を実施するための形態】
【００１３】
以下に、図面を参照しつつ、本考案の実施形態について説明する。
【００１４】
本実施形態に係る位置決め装置は、フックの取付け位置を決めるために用いられるものである。また、位置決めの対象となるフックは、焼却炉の炉壁に取り付けられるタイルを支持するために用いられるものである。
【００１５】
まず、炉壁の構造について説明する。
【００１６】
図１は、炉壁を概略的に示す正面図である。図１に示されるように、炉壁には、水管壁構造体１、及び複数のタイル４が設けられている。
【００１７】
水管壁構造体１は、複数の水管２、及びフィン部材３を備えている。複数の水管２の各々は円筒状であり、それぞれが第１方向（鉛直方向）に沿って伸びている。また、複数の水管２は、第１方向に直交する第２方向に沿って、同一ピッチで並んでいる。フィン部材３は、複数の水管２を補強するために設けられている。フィン部材３は平板状であり、隣接する２つの水管２の間に設けられている。フィン部材３により、隣接する水管２同士が連結され、補強されている。フィン部材３は、磁性材料により構成されている。
【００１８】
複数のタイル４は、水管壁構造体１を被覆するように配置されており、縦横方向（第１方向及び第２方向）に沿って並べられている。各タイル４は、隣接する２本の水管２を保護するような形状を有している。
【００１９】
図２は、図１のＡＡ’に沿う断面を示す図である。また、図３は、図１のＢＢ’に沿う断面を示す図である。図２及び図３に示されるように、フィン部材３には、各タイル４を支持するためのフック５が設けられている。各タイル４には、凹部６（タイル側凹部６）が設けられている。各フック５がタイル側凹部６に嵌まり込むことにより、各タイル４が各フック５によって支持されている。尚、図３に示されるように、各タイル４と水管壁構造体１との間には、モルタル１８が充填されている。モルタル１８は接着作用を有しており、各タイル４と水管壁構造体１とを接着している。すなわち、各タイル４は、フック５に機械的に支持されるとともに、モルタル１８を介して水管壁構造体１に接着されている。
【００２０】
図４は、各フック５を示す概略図である。図４に示されるように、各フック５は、立ち上がり部７、及び突出部８を備えている。立ち上がり部７は、平板状である。立ち上がり部７は、一端でフィン部材３に溶接により結合しており、フィン部材３から立ち上がるように伸びている。突出部８は、立ち上がり部７の先端から上方（第１方向）に向かって突出するように伸びている。
【００２１】
本実施形態に係る位置決め装置は、上述の各フック５をフィン部材３に取り付ける際に用いられるものである。以下に、位置決め装置について詳述する。
【００２２】
図５は、位置決め装置９を示す斜視図である。図５に示されるように、位置決め装置９は、第１フック保持部１０−１、第２フック保持部１０−２、連結部１１、及び距離調整機構１２を備えている。
【００２３】
第１フック保持部１０−１は、第１のフック５−１を保持するように構成されている。第２フック保持部１０−２は、第２のフック５−２を保持するように構成されている。第２のフック５−２は、第１方向において第１のフック５−１の隣（第１フックの上方）に配置されるフックである。連結部１１は、例えばフラットバーにより実現され、第１のフック保持部１０−１と第２のフック保持部１０−２とを連結している。
【００２４】
距離調整機構１２は、フィン部材３と、第１フック保持部１０−１及び第２フック保持部１０−２との間の距離を調整するために設けられている。距離調整機構１２の一端には、磁性部材１３が取り付けられている。距離調整機構１２は、磁性部材１３により、一端でフィン部材３に取り付けられる。また、距離調整機構１２は、連結部１１にも接続されている。距離調整機構１２は、例えば、長穴に挿入されたボルト及びナットなどにより、連結部１１に接続されており、これによってフィン部材３と連結部１１との間の距離が調整可能となっている。その結果、フィン部材３と、第１フック保持部１０−１及び第２フック保持部１０−２との間の距離も、調整可能である。
【００２５】
図６は、各フック保持部１０（第１フック保持部１０−１、第２フック保持部１０−２）を示す斜視図である。図６に示されるように、各フック保持部１０には、溝部１４が設けられている。溝部１４の一端は、開放されている。すなわち、各フック保持部１０は、背面１５、一対の側面１７、及び底面１６を有している。背面１５と逆側の面（フィン部材３に当接する側の面）は、開放されている。また、各フック保持部１０の上面も開放されている。これにより、溝部１４が形成されている。溝部１４は、フック５の立ち上がり部７が挿入されるような大きさである。溝部１４にフック５を挿入することにより、フック５をフィン部材３に押し付けた状態で保持することが可能である。
【００２６】
次いで、本実施形態に係る位置決め装置９の使用方法について説明する。
【００２７】
まず、基準となるフック５（第１のフック５−１）の位置決めが行われ、第１のフック５−１がフィン部材３に取り付けられる。
【００２８】
次いで、第１のフック５−１が第１フック保持部１０−１により保持されるように、位置決め装置９が、フィン部材３に取り付けられる。この際、磁性部材１３（図５参照）が設けられているため、作業者は、簡単に位置決め装置９をフィン部材３に取り付けることが可能である。また、距離調整機構１２が設けられているため、作業者は、簡単に位置決め装置９とフィン部材３との間の距離を調整することが可能である。
【００２９】
次いで、第２のフック５−２を、第２フック保持部１０−２に挿入する。そして、第２のフック５−２をフィン部材３に仮溶接する。その後、位置決め装置９を取り外し、本溶接により、第２のフック５−２をフィン部材３に接合させる。
【００３０】
以降、新たに取り付けたフックを基準として、上述の工程を繰り返すことにより、フック５をフィン部材３に取り付けることが可能となる。
【００３１】
本実施形態によれば、最初に１つのフック（第１のフック５−１）について位置決めを行えば、他のフックについては、位置決め装置９を用いて簡単に位置決めを行うことが可能である。また、第１フック保持部１０−１及び第２フック保持部１０−２によって隣り合うフック５同士の位置が決められるので、正確に、フック５の位置を決めることが可能なる。
【００３２】
また、本実施形態によれば、位置決め装置９に磁性部材１３が設けられているため、作業者は、簡単に位置決め装置９をフィン部材３に取り付けることが可能である。
【００３３】
また、本実施形態によれば、取付けられるべきフック５が、フック保持部１０に保持される。従って、作業者がフック５を押さえつける必要がなく、１人でフック５の取り付けを行うことが可能になる。
【００３４】
尚、本実施形態では、位置決め装置９が、２つのフック保持部１０（第１フック保持部１０−１及び第２フック保持部１０−２）を備えている場合について説明した。但し、位置決め装置９は、３つ以上のフック保持部１０を備えていてもよい。
【００３５】
図７は、本実施形態の第１の変形例に係る位置決め装置９を概略的に示す正面図である。この変形例では、位置決め装置９に、第３フック保持部１０−３が追加されている。第３フック保持部１０−３は、第３のフック５−３を保持する為に設けられている。第３のフック５−３は、第１方向において、第２のフック５−２に隣接するフックである。第３フック保持部１０−３は、連結部１１によって、第１フック保持部１０−１及び第２フック保持部１０−２に連結されている。その他の点については、図５に示した実施形態と同様である。本変形例に係る位置決め装置９を用いれば、図５に示した実施形態よりも多数のフック５を、一度に位置決めすることが可能になる。
【００３６】
また、本実施形態では、位置決め装置９において、第１フック保持１０−１と第２フック保持部１０−２とが、第１方向（鉛直方向）において隣り合うフックに対応している場合について説明した。但し、第１フック保持部１０−１及び第２フック保持部１０−２が、横方向（第２方向）に並ぶ２つのフック５に対応するように、連結されていてもよい。図８は、本実施形態の第２の変形例に係る位置決め装置９を概略的に示す正面図である。本変形例に係る位置決め装置９は、第１の変形例（図７）と同様に、３つのフック保持部１０（第１フック保持部１０−１、第２フック保持部１０−２、及び第３フック保持部１０−３）を有している。但し、３つのフック保持部１０は、第２方向において隣り合う３つのフックに対応するように、連結部１１によって連結されている。その他の点については、図５に示した実施形態と同様である。本変形例に係る位置決め装置９を用いることにより、横方向（第２方向）においても、複数のフック５の位置決めを行なうことが可能となる。
【００３７】
以上、本考案について、実施形態、第１の変形例、及び第２の変形例を用いて説明した。尚、これらの実施形態及び変形例は互いに独立するものではなく、矛盾のない範囲内で組み合わせて用いることも可能である。
【符号の説明】
【００３８】
１  水管壁構造体
２  水管
３  フィン部材
４  タイル
５  フック
５−１  第１のフック
５−２  第２のフック
５−３  第３のフック
６  タイル側凹部
７  立ち上がり部
８  突出部
９  位置決め装置
１０−１  第１フック支持部
１０−２  第２フック支持部
１０−３  第３フック支持部
１１  連結部
１２  距離調整機構
１３  磁性部材
１４  溝部
１５  背面
１６  底面
１７  側面
１８  モルタル
【図１】
0003176108.tif 000003
【図２】
0003176108.tif 000004
【図３】
0003176108.tif 000005
【図４】
0003176108.tif 000006
【図５】
0003176108.tif 000007
【図６】
0003176108.tif 000008
【図７】
0003176108.tif 000009
【図８】
0003176108.tif 000010